(57)【要約】【課題】ナメクジやカタツムリやミミズなどの害虫を排除する排除具の提供。【解決手段】ナメクジなどの害虫が銅イオンに対して強い忌避性を示すことを知見して、銅細線１Ａをメッシュ状に織り込んで、植木鉢５を載置する底面２を備える皿形状に成形することにより、これを鉢皿として使用すれば、植木鉢５に対するナメクジなどの害虫の侵入や徘徊を有効に防止できるので、植木鉢５に植えられた洋ランや観葉植物などを保護することが可能となる。【選択図】　　　　　図２
0003098608.tif 000002
【実用新案登録請求の範囲】
【請求項１】
銅細線をメッシュ状に織り込んで、植木鉢を載置する底面を備える皿形状に成形したことを特徴とする害虫排除具。
【請求項２】
銅板を植木鉢を載置する底面を備える皿形状に成形したことを特徴とする害虫排除具。
【請求項３】
植木鉢を複数段に亘って載置する場合に、少なくとも、該各段の載置面を画成する棚材に銅材を使用したことを特徴とする害虫排除具。
【請求項４】
銅細線をメッシュ状に織り込んで、樹木の株元に巻き付けられるバンド形状に成形したことを特徴とする害虫排除具。
【考案の詳細な説明】
【０００１】
【考案の属する技術分野】
本考案は、例えば、ナメクジ・カタツムリ・ミミズ等の害虫を排除する排除具に関するものである。
【０００２】
【従来の技術】
一般に、ナメクジなどは、夜行性のため、昼間は、草むらや植木鉢の下などに潜んで人目に触れることは殆どないが、夜になると、その活動を開始して、植木鉢に植えてある花の蕾や芽を食い荒らして、花の成長を止めたり枯らしてしまうことがしばしば見受けられた。
【０００３】
【考案が解決しようとする課題】
そこで、ナメクジからの被害を防止するために、その対策として、粒状タイプや液状タイプのナメクジ駆除剤を使用して、該駆除剤をナメクジが加害する場所に蒔いたり散布しているが、この場合には、植物に対する影響が問題となることは言うまでもないが、特に、雨などがかかると、その効果が著し減じてしまう恐れがあった。
【０００４】
【課題を解決するための手段】
本考案は、斯かる従来の実情に鑑み開発されたもので、請求項１記載の考案は、銅細線をメッシュ状に織り込んで、植木鉢を載置する底面を備える皿形状に成形する構成を採用した。
【０００５】
請求項２記載の考案は、銅板を植木鉢を載置する底面を備える皿形状に成形する構成を採用した。
【０００６】
請求項３記載の考案は、植木鉢を複数段に亘って載置する場合に、少なくとも、該各段の載置面を画成する棚材に銅材を使用する構成を採用した。
【０００７】
請求項４記載の考案は、銅細線をメッシュ状に織り込んで、樹木の株元に巻き付けられるバンド形状に成形する構成を採用した。
【０００８】
依って、請求項１記載の考案にあっては、ナメクジなどの害虫が銅イオンに対して強い忌避性を示すことを知見した結果、銅細線をメッシュ状に織り込んで、植木鉢を載置する底面を備える皿形状となして、これを鉢皿として使用すれば、植木鉢に対するナメクジなどの害虫の侵入や徘徊を有効に防止できるので、植木鉢に植えられた洋ランや観葉植物などを保護することが可能となる。
【０００９】
請求項２記載の考案にあっても、ナメクジなどの害虫が銅イオンに対して強い忌避性を示すことを知見した結果、今度は、銅板を植木鉢を載置する底面を備える皿形状となして、これを鉢皿として使用すれば、やはり、ナメクジなどの害虫の侵入や徘徊を有効に防止できるので、植木鉢に植えられた洋ランや観葉植物などを保護することが可能となる。
【００１０】
請求項３記載の考案にあっても、ナメクジなどの害虫が銅イオンに対して強い忌避性を示すことを知見した結果、植木鉢を複数段に亘って載置する場合には、少なくとも、各段の載置面を画成する棚材に銅材を使用するものであるから、これをフラワースタンドとして使用すれば、やはり、ナメクジなどの害虫の侵入や徘徊を有効に防止できるので、植木鉢に植えられた洋ランや観葉植物などを保護することが可能となる。
【００１１】
請求項４記載の考案にあっても、ナメクジなどの害虫が銅イオンに対して強い忌避性を示すことを知見した結果、銅細線をメッシュ状に織り込んで、樹木の株元に巻き付けられるバンド形状となしたものであるから、これを果実などの樹木の株元に巻き付けて固定すれば、今度は、ナメクジなどが害虫の樹木の上への侵入や徘徊を有効に防止できるので、特に、果実やその芽などを保護することが可能となる。
【００１２】
【考案の実施の形態】
以下、本考案を図示する各好適な実施の形態に基づいて詳述すれば、第一実施の形態に係る害虫排除具Ｘは、図１に示す如く、鉢皿に応用したもので、具体的には、銅細線１Ａをメッシュ状に織り込んで、このメッシュ状に織り込まれた銅細線１Ａで底面２と側面３を備える皿形状に成形して、その周縁に銅製の縁金４を取り付けたものである。尚、形状的には、図示する丸や四角に限定されるものではなく、植木鉢を載置できるものであれば、その他の異形状であっても良い。但し、その底面２はメッシュ状となっているので、水捌けが良い。
【００１３】
依って、斯かるメッシュ状の鉢皿を使用する場合には、合成樹脂で成形された鉢皿と同様に、図２に示す如く、その底面２に植木鉢５を載置すれば、その使用に供せられることとなるが、第一実施の形態にあっては、銅イオンに強い忌避作用を示す銅細線１Ａをメッシュ状に織り込んでいるので、ナメクジなどが夜行性を発揮して活動したとしても、植木鉢５の手前で、ナメクジなどの侵入や徘徊を有効に防止できるので、植木鉢５に植えられた洋ランや観葉植物などが食害に合うことを効果的に防止できる。しかも、本メッシュ状の鉢皿は底面２のみならず、その全域に一定角度立ち上がる側面３を備えているので、この側面３によっても、ナメクジなどが乗り越えることを有効に防止できる。
【００１４】
又、この忌避作用は、銅細線１Ａの表面が酸化して緑青を生成していれば、一層効果的となるので、自然酸化を待たずに、積極的に酸化処理を施せば、その効果は即効性を発揮することとなる。その上、薬剤を使用する方法の如く、植物に対する影響を問題とすることがないので、使用上も極めて安全である。
【００１５】
第二実施の形態に係る害虫排除具Ｘも、図３に示す如く、同様に、鉢皿に応用したものであるが、異なるところは、第一実施の形態が銅細線１Ａを用いたのに対して、第二実施の形態にあっては、銅板１Ｂをそのまま底面２と側面３を備える皿形状に成形して、底面２に複数の排水孔６を形成すると共に、側面３の周縁に銅製の縁金４を施す構成となしたものである。従って、この場合も、上記排水孔６の存在により、水捌けが良くなる。
【００１６】
依って、第二実施の形態にあっては、銅細線１Ａと銅板１Ｂの相違はあるが、実際の使用に際しては、例え、ナメクジなどが夜行性を発揮して活動したとしても、植木鉢５の手前で、ナメクジなどの侵入や徘徊を有効に防止できるので、植木鉢５に植えられた洋ランや観葉植物などが食害に合うことを効果的に防止できることとなる。
【００１７】
第三実施の形態に係る害虫排除具Ｘは、今までの実施の形態とは異なり、図４に示す如く、具体的には、植木鉢５を複数段に亘って載置するフラワースタンドに応用したもので、少なくとも、各段の載置面を画成する棚材７に棒状又はパイプ状の銅材１Ｃを使用する構成となしたものである。
【００１８】
依って、第三実施の形態にあっては、鉢皿とフラワースタンドの相違はあるが、実際の使用に際しては、例え、ナメクジなどが夜行性を発揮して活動したとしても、各段に載置された植木鉢５の手前で、ナメクジなどの侵入や徘徊を有効に防止できるので、植木鉢５に植えられた洋ランや観葉植物などが食害に合うことを効果的に防止できる。尚、この場合には、その支柱８までをも銅材１Ｃで成形すれば、一層効果的となる。
【００１９】
第四実施の形態に係る害虫排除具Ｘは、今までの実施の形態の如く、植木鉢５を対象とするものではなく、例えば、柑橘類の樹木の株元に巻き付けられるバンド体に応用されたもので、図５に示す如く、銅細線１Ａをメッシュ状に織り込んで、このメッシュ状に織り込まれた銅細線１Ａを所定巾のバンド形状に成形する構成となしたものである。
【００２０】
依って、斯かるメッシュ状のバンド体の使用に際しては、図６に示す如く、樹木９の株元に当該バンド体を巻き付けて固定すれば、例え、ナメクジなどが夜行性を発揮して活動して、樹木９に上ろうとしても、バンド体の手前で、ナメクジなどの樹木９上への侵入や徘徊を有効に防止できるので、特に、果実やその芽などを保護することが可能となる。
【００２１】
【考案の効果】
以上の如く、本考案は、上記構成の採用により、ナメクジなどの害虫が銅イオンに対して強い忌避性を示すことを知見して、害虫排除具に銅を使用したことを特徴とするものであるから、これを鉢皿やフラワースタンドとして使用すれば、ナメクジなどの害虫の侵入や徘徊を有効に防止できるので、植木鉢に植えられた洋ランや観葉植物などを保護することが可能となると共に、柑橘類の樹木の株元に巻き付けられるバンド体として使用すれば、ナメクジなどが害虫の樹木の上への侵入や徘徊を有効に防止できるので、やはり、果実やその芽などを保護することが可能となる。
【図面の簡単な説明】
【図１】（Ａ）は本考案の第一実施の形態に係る害虫排除具を示す斜視図、（Ｂ）はその変形例を示す斜視図である。
【図２】第一実施の形態に係る害虫排除具の底面に植木鉢を載置した状態を示す斜視図である。
【図３】第二実施の形態に係る害虫排除具を示す斜視図である。
【図４】第三実施の形態に係る害虫排除具を示す斜視図である。
【図５】第四実施の形態に係る害虫排除具を示す斜視図である。
【図６】第四実施の形態に係る害虫排除具を樹木の株元に巻き付けた状態を示す要部説明図である。
【符号の説明】
Ｘ　　害虫排除具
１Ａ　銅細線
１Ｂ　銅板
１Ｃ　銅材
２　　底面
３　　側面
４　　縁金
５　　植木鉢
６　　排水孔
７　　棚材
８　　支柱
９　　樹木
【図１】
0003098608.tif 000003
【図２】
0003098608.tif 000004
【図３】
0003098608.tif 000005
【図４】
0003098608.tif 000006
【図５】
0003098608.tif 000007
【図６】
0003098608.tif 000008